(57)【要約】【課題】  金属ケースが半田付けできない材料で構成されている場合でも、チューナモジュールをメイン基板の主面上に設置することが可能な、チューナ装置を提供すること。【解決手段】  チューナモジュール１００は、アンテナ装置で受信された高周波の受信信号を復調する回路部品が実装されたプリント配線基板２０と、このプリント配線基板を収容して回路部品をシールドする金属ケース１１、１２とを有する。金属ケースはアルミニウム製である。プリント配線基板には、その下辺２０ｂから下方へ突出して設けられた複数本のコネクタピン２５が搭載されている。チューナ装置３００は、金属ケースに取り付けられて、チューナモジュールを保持した状態で、チューナモジュールをメイン基板の主面上に設置するブラケット５０を有する。ブラケットは、鋼又は亜鉛メッキ鋼板から成る。【選択図】      図４
2008078889.tif 000002
【特許請求の範囲】
【請求項１】
メイン基板の主面上に設置されるチューナモジュールを含むチューナ装置であって、前記チューナモジュールは、アンテナ装置で受信された受信信号を復調する回路部品が実装されたプリント配線基板と、該プリント配線基板を収容して前記回路部品をシールドする金属ケースとを有し、前記金属ケースは半田付けできない材料から成り、前記プリント配線基板には、前記メイン基板の主面に対して垂直に延在する複数本のコネクタピンが搭載されている、前記チューナ装置において、
前記金属ケースに取り付けられて、前記チューナモジュールを保持した状態で、前記チューナモジュールを前記メイン基板の主面上に設置するブラケットを有し、該ブラケットは半田付け可能な材料から成る、ことを特徴とするチューナ装置。
【請求項２】
前記金属ケースがアルミニウム製である、請求項１に記載のチューナ装置。
【請求項３】
前記ブラケットは、鋼及び亜鉛メッキ鋼板から選択された１つの材料から成る、請求項１又は２に記載のチューナ装置。
【請求項４】
前記金属ケースは、アルミニウム製のダイカスト成形体による第１のケース及び第２のケースから成り、前記ブラケットは前記第１のケースに取り付けられている、ことを特徴とする請求項２に記載のチューナ装置。
【請求項５】
前記ブラケットを前記第１のケースに取り付けるための取付け部材を有する、請求項４に記載のチューナ装置。
【請求項６】
前記ブラケットは、前記第１のケースの外面と所定距離離間して対向配置される板部材を有し、
前記取付け部材は、第１乃至第Ｎ（Ｎは２以上の整数）の取付けネジから構成され、
前記第１のケースは、その外面に、前記第１乃至第Ｎの取付けネジがそれぞれ螺合されるネジ孔が穿設された第１乃至第Ｎのネジボス部を有し、
前記板部材は、前記第１乃至第Ｎのネジボス部と対応する位置で、前記第１乃至第Ｎの取付けネジをそれぞれ貫通させる第１乃至第Ｎの貫通孔を持つ、
ことを特徴とする請求項５に記載のチューナ装置。
【請求項７】
前記第１のケースは、その外面に、前記ブラケットを位置決めする複数の位置決め突起を有し、
前記板部材は、前記複数の位置決め突起がそれぞれ挿入される複数の位置決め用穴を持つ、
請求項６に記載のチューナ装置。
【請求項８】
前記第１のケースがフロントケースから成り、前記第２のケースがリアケースから成り、前記複数本のコネクタピンは前記プリント配線基板の下辺から下方へ突出して設けられており、前記チューナモジュールは前記メイン基板の主面上に縦置きで設置されることを特徴とする、請求項６又は７に記載のチューナ装置。
【請求項９】
前記第１のケースの外面は前記フロントケースの前面であって、前記板部材は前板部から成り、前記ブラケットは、前記前板部の両側辺から略直角に曲げられた一対の側板部を更に有する、請求項８に記載のチューナ装置。
【請求項１０】
前記ブラケットは、前記前板部及び前記一対の側板部の下辺から下方へ延在して、前記メイン基板の主面上に形成された複数の取付け穴にそれぞれ挿入される複数の取付け足を有する、請求項９に記載のチューナ装置。
【請求項１１】
前記プリント配線基板は、その一対の側辺の一方の近傍で、前記アンテナ装置で受信された前記受信信号を伝送するための同軸ケーブルの先端が接続されるＲＦ入力部を有し、
前記ブラケットは、前記一対の側板部の一方から延在して、前記ＲＦ入力部の近傍で前記同軸ケーブルの先端部を保持するためのケーブル保持部を更に有する、請求項９又は１０に記載のチューナ装置。
【請求項１２】
前記ケーブル保持部は一対の係合溝を持ち、
前記チューナ装置は、前記一対の係合溝に係合されて、前記同軸ケーブルの先端部を前記ケーブル保持部に保持・固定する保持部材を更に有する、請求項１１に記載のチューナ装置。
【請求項１３】
前記ケーブル保持部は、前記同軸ケーブルを引っ掛けるためのフック部を有する、請求項１１又は１２に記載のチューナ装置。
【発明の詳細な説明】
【技術分野】
【０００１】
本発明は、ラジオ受信機用のチューナ装置に関し、特に、人工衛星からの電波（以下「衛星波」とも呼ぶ）または地上での電波（以下「地上波」とも呼ぶ）を受信してデジタルラジオ放送を聴取することが可能な車載用デジタルラジオ受信機に適したチューナ装置に関する。
【背景技術】
【０００２】
近年、衛星波または地上波を受信して、デジタルラジオ放送を聴取可能にしたデジタルラジオ受信機が開発され、米国において実用化されている。このデジタルラジオ受信機は、一般には、自動車等の移動局に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚなので、そのときの受信波長（共振波長）λは約１２８．３ｍｍである。尚、地上波は、衛星波を一旦、地球局で受信した後、周波数を若干シフトし、直線偏波で再送信したものである。すなわち、衛星波は円偏波であるのに対して、地上波は直線偏波である。
【０００３】
このようにデジタルラジオ放送では、約２．３ＧＨｚ帯の周波数の電波が使用されるので、それを受信するアンテナは室外に設置しなければならない。したがって、デジタルラジオ受信機を自動車に搭載する場合には、そのアンテナを自動車の屋根に取り付けなければならない。このような自動車用アンテナと自動車の室内に設置される受信機本体（ヘッドユニット）とはケーブルを介して電気的に接続される。ヘッドユニットは外部機器として動作する。なお、ヘッドユニットは、ユーザセットとも呼ばれる。
【０００４】
この種の衛星波または地上波を受信する受信システムは、アンテナ部（アンテナ装置）とチューナ部（衛星ラジオチューナ）とを含む。アンテナ部（アンテナ装置）は衛星波または地上波を受信して高周波の受信信号を出力する。チューナ部（衛星ラジオチューナ）は受信信号を復調して音声信号を出力する。
【０００５】
このようなチューナを構成する回路部品は、通常、プリント配線基板（チューナ基板）に実装されてシールドを兼ねる金属ケース（シールドケース）に収容される（例えば、特許文献１参照）。この特許文献１は、チューナ装置（チューナパック）をメイン基板に対して、垂直な状態（縦置き）で取付固定する例を開示している。チューナパックに搭載されたコネクタのピンは、メイン基板に形成した穴に挿入して半田付けされる。また、シールドケースに形成した取付片は、メイン基板に形成した角穴に導入され、その角穴の周囲に形成したアースパターンと半田付けされる。
【０００６】
図８を参照して、衛星デジタルラジオ受信機の構成の一例について説明する。衛星デジタルラジオ受信機は、アンテナ１０１、チューナ部１０２、信号復調部１０３、チャンネル復調部１０４、音声デコーダ１０５、データデコータ１０６、制御部１０７、操作部１０８を有する（例えば、特許文献２参照）。
【０００７】
また、縦形取り付け（縦置き）と伏せ形取り付け（横置き）の両用のチューナケースも提案されている（例えば、特許文献３参照）。特許文献３では、チューナケースの側面及び底面にそれぞれ取り付け足を設け、一つのケースで縦形取り付け及び伏せ形取り付けのどちらにも対応できるようにしている。
【０００８】
【特許文献１】特開平６−２０９２６８号公報
【特許文献２】特開２００２−３４４３３５号公報
【特許文献３】特開２００１−１３６４６４号公報
【発明の開示】
【発明が解決しようとする課題】
【０００９】
特許文献１に開示されているように、チューナモジュールは、回路部品が実装されたプリント配線基板と、このプリント配線基板を収納して、電子部品をシールドする金属ケース（シールドケース）とから構成されている。特許文献１に開示されているチューナモジュールでは、金属ケース（シールドケース）は半田付け可能な材料で構成されている。したがって、コネクタピン及び取付片をメイン基板の穴（角穴）に挿入して半田付けすることにより、チューナモジュールをメイン基板に対して縦置きに設置することができる。このようにチューナモジュールをメイン基板の主面上に縦置きに設置することで、空いたスペースを有効に活用したいという、ユーザのニーズに応えることが出来る。
【００１０】
一方、高精度で、かつ機械仕上げを不要とするために、金属ケース（シールドケース）を、アルミニウム製のダイカスト成形体で構成する場合がある。しかしながら、アルミニウムは半田付けができない材料であるので、チューナモジュールをメイン基板の主面上に縦置きで設置することは困難である。その結果、空いたスペースを有効に活用したいという、ユーザのニーズに応えることが出来ない。とにかく、金属ケース（シールドケース）がアルミニウム製などの半田付けできない材料で構成されている場合、チューナモジュールを縦置きに設置するには、何らかの保持手段を用いてチューナモジュールを保持することが必要となる。
【００１１】
特許文献３は、縦形取り付け（縦置き）と伏せ形取り付け（横置き）の両用のチューナケースを提案しているだけであって、金属ケース（シールドケース）の材料については何ら記載がない。
【００１２】
また、チューナモジュールのプリント配線基板には、アンテナ装置で受信された高周波（ＲＦ）の受信信号を伝送するための同軸ケーブルの先端が半田付けで接続されるＲＦ入力部が形成されている。この場合、単に、同軸ケーブルの先端とＲＦ入力部とを半田付けしただけでは、振動や引っ張りに起因する半田付け部へのストレスを軽減することはできない。
【００１３】
さらに、同軸ケーブルの先端をＲＦ入力部に接続した状態で、出荷時にチューナ装置を梱包する場合がある。しかしながら、同軸ケーブルが邪魔になって、コンパクトに梱包することが困難になる。また、同軸ケーブルの先端をＲＦ入力部に接続した状態で、ユーザ側で、チューナ装置を半田ディップ槽を使用してメイン基板の主面上に半田付けする場合がある。この際に、誤って同軸ケーブルを半田ディップ槽に落としてしまう恐れがある。
【００１４】
したがって、本発明の課題は、金属ケース（シールドケース）が半田付けできない材料で構成されている場合でも、チューナモジュールをメイン基板の主面上に設置することが可能な、チューナ装置を提供することにある。
【００１５】
本発明の他の課題は、同軸ケーブルの先端とＲＦ入力部との間の半田付け部へのストレスを軽減することができる、チューナ装置を提供することにある。
【００１６】
本発明の更に他の課題は、同軸ケーブルの先端をＲＦ入力部に接続した状態において、コンパクトに梱包することが可能は、チューナ装置を提供することにある。
【００１７】
本発明のもっと他の課題は、同軸ケーブルの先端をＲＦ入力部に接続した状態において、半田付けの際に誤って同軸ケーブルが半田ディップ槽に落ちるのを防止することができる、チューナ装置を提供することにある。
【課題を解決するための手段】
【００１８】
本発明によれば、メイン基板の主面上に設置されるチューナモジュール（１００）を含むチューナ装置（３００；３００Ａ）であって、前記チューナモジュール（１００）は、アンテナ装置で受信された受信信号を復調する回路部品（２１，２２，２３）が実装されたプリント配線基板（２０）と、該プリント配線基板を収容して前記回路部品をシールドする金属ケース（１０）とを有し、前記金属ケースは半田付けできない材料から成り、前記プリント配線基板には、前記メイン基板の主面に対して垂直に延在する複数本のコネクタピン（２５）が搭載されている、前記チューナ装置において、前記金属ケースに取り付けられて、前記チューナモジュールを保持した状態で、前記チューナモジュールを前記メイン基板の主面上に設置するブラケット（５０；５０Ａ）を有し、該ブラケットは半田付け可能な材料から成る、ことを特徴とするチューナ装置が得られる。
【００１９】
上記本発明によるチューナ装置（３００；３００Ａ）において、前記金属ケース（１０）は、例えば、アルミニウム製であってよい。前記ブラケット（５０；５０Ａ）は、例えば、鋼及び亜鉛メッキ鋼板から選択された１つの材料から構成されてよい。前記金属ケース（１０）は、アルミニウム製のダイカスト成形体による第１のケース（１１）及び第２のケース（１２）から成ることが好ましい。この場合、前記ブラケット（５０；５０Ａ）は前記第１のケース（１１）に取り付けられてよい。前記チューナ装置は、前記ブラケットを前記第１のケースに取り付けるための取付け部材（７０１〜７０４）を有してよい。前記ブラケット（５０；５０Ａ）は、例えば、前記第１のケースの外面と所定距離離間して対向配置される板部材（５１）から構成されてよい。この場合、前記取付け部材は、第１乃至第Ｎ（Ｎは２以上の整数）の取付けネジ（７０１〜７０４）から構成されてよく、前記第１のケース（１１）は、その外面に、前記第１乃至第Ｎの取付けネジがそれぞれ螺合されるネジ孔が穿設された第１乃至第Ｎのネジボス部（１５１〜１５４）を有し、前記板部材（５１）は、前記第１乃至第Ｎのネジボス部と対応する位置で、前記第１乃至第Ｎの取付けネジをそれぞれ貫通させる第１乃至第Ｎの貫通孔を持ってよい。前記第１のケース（１１）は、その外面に、前記ブラケットを位置決めする複数の位置決め突起（１５６，１５７）を有し、前記板部材（５１）は、前記複数の位置決め突起がそれぞれ挿入される複数の位置決め用穴（５１６，５１７）を持つことが好ましい。前記第１のケースはフロントケース（１１）から成り、前記第２のケースはリアケース（１２）から成り、前記複数本のコネクタピン（２５）は前記プリント配線基板（２０）の下辺（２０ｂ）から下方へ突出して設けられてよい。この場合、前記チューナモジュール（３００；３００Ａ）は前記メイン基板の主面上に縦置きで設置される。前記第１のケースの外面は前記フロントケース（１１）の前面であって、前記板部材は前板部（６１）から成ってよい。この場合、前記ブラケット（５０；５０Ａ）は、前記前板部の両側辺から略直角に曲げられた一対の側板部（５２，５３）を更に有することが好ましい。前記ブラケットは、前記前板部及び前記一対の側板部の下辺（５１ｂ，５２ｂ，５３ｂ）から下方へ延在して、前記メイン基板の主面上に形成された複数の取付け穴にそれぞれ挿入される複数の取付け足（５１１，５２１，５３１）を有する。
【００２０】
上記本発明によるチューナ装置（３００；３００Ａ）において、前記プリント配線基板（２０）は、その一対の側辺（２０ｃ、２０ｄ）の一方（２０ｄ）の近傍で、前記アンテナ装置で受信された前記受信信号を伝送するための同軸ケーブル（９１）の先端が接続されるＲＦ入力部（２０９）を有してよい。この場合、前記ブラケット（５０，５０Ａ）は、前記一対の側板部の一方（５３）から延在して、前記ＲＦ入力部の近傍で前記同軸ケーブルの先端部（９１ａ）を保持するためのケーブル保持部（５４；５４Ａ）を更に有することが好ましい。前記ケーブル保持部は一対の係合溝（５４ａ）を持ってよい。この場合、前記チューナ装置は、前記一対の係合溝に係合されて、前記同軸ケーブルの先端部を前記ケーブル保持部に保持・固定する保持部材（８０）を更に有することが好ましい。前記ケーブル保持部（５４Ａ）は、前記同軸ケーブルを引っ掛けるためのフック部（５４１）を有することが望ましい。
【００２１】
尚、上記括弧内の符号は、本発明の理解を容易にするために付したものであり、一例にすぎず、これらに限定されないのは勿論である。
【発明の効果】
【００２２】
本発明では、半田付けできない材料から成る金属ケースに、チューナモジュールを保持した状態で、チューナモジュールをメイン基板の主面上に設置する、半田付け可能な材料から成るブラケットを取り付けたので、チューナモジュールをメイン基板の主面上に設置することが可能となる。
【００２３】
また、本発明では、ブラケットに、ＲＦ入力部の近傍で同軸ケーブルの先端部を保持するためのケーブル保持部を設けたので、同軸ケーブルの先端とＲＦ入力部との間の半田付け部へのストレスを軽減することができる。
【００２４】
さらに、本発明では、ケーブル保持部に同軸ケーブルを引っ掛けるためのフック部を設けたので、同軸ケーブルの先端をＲＦ入力部に接続した状態において、チューナ装置をコンパクトに梱包することができ、半田付けの際に誤って同軸ケーブルが半田ディップ槽に落ちるのを防止することができる。
【発明を実施するための最良の形態】
【００２５】
以下、図面を参照して、本発明の実施の形態について詳細に説明する。
【００２６】
最初に、図１乃至図３を参照して、本発明に係るチューナ装置が適用されるチューナモジュール１００について説明する。図１乃至図３において、前後方向（奥行き方向、厚さ方向）をＸ軸方向で表し、左右方向（横方向、幅方向）をＹ軸方向で表し、上下方向（高さ方向）をＺ方向で表している。
【００２７】
図２、図３は、車載用デジタルラジオ受信機の構成要素のうち、チューナ部と復調部、音声デコーダ部、データデコーダ部およびこれらを制御するコントローラが１つのプリント配線基板に実装され、このプリント配線基板が金属ケース（シールドケース）に収容される場合について示している。このような構成をここではチューナモジュールと呼ぶ。
【００２８】
図２において、チューナモジュール１００は金属ケース（シールドケース）１０とプリント配線基板２０とを有する。金属ケース（シールドケース）１０は、アルミニウム製のダイカスト成形体である第１のケース１１及び第２のケース１２から成る。後述するように、図示の例のチューナ装置は、チューナモジュール１００をメイン基板の主面上に縦置きで設置するタイプなので、第１のケース１１はフロントケースと呼ばれ、第２のケース１２はリアケースと呼ばれる。
【００２９】
フロントケース１１は、実質的に左右方向Ｙおよび上下方向Ｚで規定されるＹ−Ｚ平面と平行に延在する直方体形状をしている。フロントケース１１は、互いに上下方向で対向する上辺１１ａおよび下辺１１ｂと、互いに左右方向Ｙで対向する左辺１１ｃおよび右辺１１ｄとを持つ。フロントケース１１は、互いに前後方向Ｘで対向する前面１１ｅおよび背面１１ｆを持つ。
【００３０】
同様に、リアケース１２も、実質的に左右方向Ｙおよび上下方向Ｚで規定されるＹ−Ｚ平面と平行に延在する直方体形状をしている。リアケース１２は、互いに上下方向で対向する上辺１２ａおよび下辺１２ｂと、互いに左右方向Ｙで対向する左辺１２ｃおよび右辺１２ｄとを持つ。リアケース１２は、互いに前後方向Ｘで対向する前面１２ｅおよび背面１２ｆを持つ。
【００３１】
プリント配線基板２０は、左右方向Ｙおよび上下方向Ｚで規定されるＹ−Ｚ平面と平行に延在する略矩形の平板状をしている。プリント配線基板２０は、互いに上下方向Ｚで対向する上辺２０ａおよび下辺２０ｂと、互いに左右方向Ｙで対向する左辺２０ｃおよび右辺２０ｄとを持つ。プリント配線基板２０は、互いに前後方向Ｘで対向する前面２０ｅおよび背面２０ｆを持つ。プリント配線基板２０の前面２０ｅ側にフロントケース１１が配置され、背面２０ｆ側にリアケース１２が配置されている。
【００３２】
プリント配線基板２０は、外部との電気的接続が必要な部分（後述する）を除いて、フロントケース１１とリアケース１２との間の空間に収容され、シールドが実現される。すなわち、プリント配線基板２０は、第１乃至第５の基板固定用ネジ（後述する）を使用して、フロントケース１１とリアケース１２との間で挟まれた状態で固定される。
【００３３】
フロントケース１１は、第１乃至第５の基板固定用ネジがそれぞれ螺合される第１乃至第５のフロントネジ孔１１１、１１２、１１３、１１４、および１１５を持つ。第１のフロントネジ孔１１１は、フロントケース１１の左上角部に設けられている。第２のフロントネジ孔１１２は、フロントケース１１の左下角部に設けられている。第３のフロントネジ孔１１３は、フロントケース１１の右辺１１ｄ近傍の上辺１１ａ側に設けられている。第４のフロントネジ孔１１４は、フロントケース１１の右下角部に設けられている。第５のフロントネジ孔１１５は、この第４のネジ孔１１４より内側の下辺１１ｂ側に設けられている。
【００３４】
一方、リアケース１２は、上記第１のフロントネジ孔１１１と対応する位置に第１のネジが螺合されるネジ孔が穿設された第１のリアネジボス部１２１を持ち、上記第２のフロントネジ孔１１２と対応する位置に第２のネジが螺合されるネジ孔が穿設された第２のリアネジボス部１２２を持つ。また、リアケース１２は、上記第３のフロントネジ孔１１３と対応する位置に第３のネジが螺合されるネジ孔が穿設された第３のリアネジボス部１２３を持つ。図示はしていないが、リアケース１２は、上記第４及び第５のフロントネジ孔１１４及び１１５と対応する位置に、それぞれ、第４及び第５のネジが螺合される第４及び第５のリアネジ孔を持つ。
【００３５】
プリント配線基板２０は、上記第１のフロントネジ孔１１１と対応する位置で、第１のリアネジボス部１２１が挿入される第１の貫通孔２０１を持ち、上記第２のフロントネジ孔１１２と対応する位置で、第２のリアネジボス部１２２が挿入される第２の貫通孔２０２を持つ。また、プリント配線基板２０は、上記第３のフロントネジ孔１１３と対応する位置で、第３のリアネジボス部１２３が挿入される第３の貫通孔２０３を持つ。さらに、プリント配線基板２０は、上記第４及び第５のフロントネジ孔１１４及び１１５と対応する位置で、それぞれ第４及び第５のネジを貫通させるための第４及び第５の貫通孔２０４及び２０５を持つ。
【００３６】
図３において、プリント配線基板２０は、その前面２０ｅおよび背面２０ｆに電子部品を実装している。図３（ａ）はプリント配線基板２０の背面２０ｆ側を示し、図３（ｂ）はプリント配線基板２０の前面２０ｅ側を示している。但し、図３（ｂ）では、プリント配線基板２０の上下を逆にして示してある。
【００３７】
図３（ａ）に示されるように、プリント配線基板２０の背面２０ｆには、チューナ部の主要構成部品である第１のＩＣ部品２１及び復調部の主要構成部品である第２のＩＣ部品２２が実装されている。一方、図３（ｂ）に示されるように、プリント配線基板２０の前面２０ｅには、コントローラの主要構成部品である第３のＩＣ部品２３が実装されている。
【００３８】
図１に示されるように、プリント配線基板２０の前面２０ｅと接触する側の、フロントケース１１の背面（内壁面）１１ｆ側には、プリント配線基板２０に実装される電子部品あるいは電子部品群（複数の電子部品が隣接して配置される場合）のサイズに対応した凹部１１７が形成されている。同様に、図２に示されるように、プリント配線基板２０の背面２０ｆと接触する側の、リアケース１２の前面（内壁面）１２ｅ側には、プリント配線基板２０に実装される電子部品あるいは電子部品群（複数の電子部品が隣接して配置される場合）のサイズに対応した凹部１２７が形成されている。これは、チューナモジュール１００の厚さをできるだけ小さくするためであるが、プリント配線基板２０上に形成される導体パターンや、短絡されると問題のある部品については金属ケース１０に接触しないようにされるか、あるいは絶縁が施されることは言うまでもない。
【００３９】
図１を参照して、第１乃至第３のＩＣ部品２１〜２３のうち第２及び第３のＩＣ部品２２及び２３の上面（ここでは全面）、あるいはこれに対応する金属ケース１０の内面（リアケース１２の前面１２ｅおよびフロントケース１１の背面１２ｆ）に熱伝導シート３２、３３を貼着している。これらの熱伝導シート３２、３３は、それぞれ、熱伝導を良くするために第２のＩＣ部品２２とリアケース１２の前面（内面）１２ｅ、第３のＩＣ部品２３とフロントケース１１の背面（内面）１１ｆに面接触により密着させるようにしている。熱伝導シートの材料としては、例えばシリコーンゴム、アクリルゴム、黒鉛等が挙げられる。
【００４０】
一方、金属ケース１０の外面、つまりリアケース１２の背面（外面）１２ｆ及びフロントケース１１の前面（外面）１１ｅにはそれぞれ、熱伝導シート３２、３３に対応する領域を含む領域に放熱シート４２、４３が貼着されている。放熱シート４２、４３の貼着領域は、熱伝導シート３２、３３の貼着領域を含むようにするのが好ましいが、外れていても良い。放熱シートの材料としては、例えば、液体セラミックとガラスクロスの混合材料等が挙げられる。
【００４１】
以上のような構成によれば、熱伝導シート及び放熱シートのいずれも薄いものであるので、チューナモジュール１００全体のサイズ、特に厚さ方向Ｘのサイズを大きくすることは無い。そして、第２、第３のＩＣ部品２２、２３で発生した熱は、熱伝導シート３２、３３を介してリアケース１２、フロントケース１１に良好に伝達される。リアケース１２、フロントケース１１は熱伝導率の高い、つまり放熱効果の良好なアルミダイカスト製であり、これに加えて金属ケース１０の外面には放熱シート４２、４３が貼着されていることにより更に放熱性能が向上する。放熱性試験によれば、図１に示したチューナモジュールは、熱伝導シート及び放熱シートが無い場合に比較して、１０℃前後の温度低下が確認されている。また、８５℃の雰囲気中での性能試験においても正常に動作することが確認されている。
【００４２】
図１に示されるように、プリント配線基板２０には、その下辺２０ｂ側に、メイン基板（図示せず）の配線パターンに対して差し込まれる複数本のコネクタピン２５が取り付けられる。換言すれば、複数本のコネクタピン２５は、メイン基板の主面に対して垂直に延在している。一方、フロントケース１１は、このコネクタピン２５の設置位置と対応する下辺１１ｂの位置に、矩形のコネクタ用フロント切欠き部１１８を持つ。同様に、リアケース１２も、このコネクタピン２５の設置位置と対応する下辺１２ｂの位置に、矩形のコネクタ用リア切欠き部１２８を持つ。
【００４３】
また、プリント配線基板２０は、右上角部に、アンテナ装置（図示せず）からの高周波（ＲＦ）の受信信号を入力するためのＲＦ入力部２０９を持つ。一方、フロントケース１１は、このＲＦ入力部２０９と対応する右辺１１ｄの位置に、矩形のＲＦ入力用フロント凹部１１９を持つ。同様に、リアケース１２は、このＲＦ入力部２０９と対応する右辺１２ｄの位置に、矩形のリア切欠き部１２９を持つ。
【００４４】
図２に加えて図４をも参照して、本発明の第１の実施の形態に係るチューナ装置３００について説明する。図示のチューナ装置３００は、図１に示したチューナモジュール１００と、このチューナモジュール１００を保持しながらメイン基板（図示せず）に取り付けるためのブラケット５０とを有する。このブラケット５０は、第１乃至第４の取付けネジ７０１、７０２、７０３、および７０４によってチューナモジュール１００に取り付けられる。換言すれば、第１乃至第４の取付けネジ７０１〜７０４は、ブラケット５０をフロントケース５０に取り付けるための取付け部材として働く。ブラケット５０の材料は、スチール（鋼）または亜鉛メッキ鋼板（トタン板）から成る。このため、金属ケース（シールドケース）１０がアルミニウム製のチューナモジュール１００と異なり、ブラケット５０はメイン基板に半田付けすることが可能である。
【００４５】
図２に示されるように、フロントケース１１の前面１１ｅには、上記第１乃至第４の取付けネジ７０１〜７０４が螺合されるネジ孔が穿設された第１乃至第４のフロントネジボス部１５１、１５２、１５３、および１５４が前面１１ｅから前方へ突出して設けられている。第１乃至第４のフロントネジボス部１５１〜１５４は、それぞれ、第１乃至第４のフロントネジ孔１１１〜１１４の近傍に設けられている。また、フロントケース１１の前面１１ｅには、ブラケット５０を位置決めするための第１及び第２の位置決め突起１５６、１５７が前面１１ｅから前方へ突出して設けられている。第１の位置決め突起１５６は、第１のフロントネジボス部１５１の近傍に設けられ、第２の位置決め突起１５７は、第４のフロントネジボス部１５４の近傍に設けられている。
【００４６】
図４に戻って、ブラケット５０は、チューナモジュール１００のフロントケース１１の前面１１ｅから前後方向Ｘに前方へ所定距離離間して配置される前板部５１と、チューナモジュール１００の左側面から離間して配置される左板部５２と、チューナモジュール１００の右側面から離間して配置される右板部５３とを有する。換言すれば、前板部５１は、第１のケース１１の外面と所定距離離間して対向配置される板部材として働く。
【００４７】
前板部５１は、左右方向Ｙおよび上下方向Ｚで規定されるＹ−Ｚ平面と平行に延在する矩形形状をしている。前板部５１は、互いに上下方向Ｚで対向する上辺５１ａ及び下辺５１ｂと、互いに左右方向Ｙで対向する左辺５１ｃ及び右辺５１ｄとを持つ。また、前板部５１は、互いに前後方向Ｘで対向する前面５１ｅおよび背面（図示せず）を持つ。左板部５２は、前板部５１の左辺５１ｃから後方へ略直角に折り曲げられている。右板部５３は、前板部５１の右辺５１ｄから後方へ略直角に折り曲げられている。とにかく、左板部５２及び右板部５３は、前板部５１の両側辺５１ｃ、５１ｄから後方へ略直角に曲げられた一対の側板部として働く。
【００４８】
左板部５２と右板部５３とは対称な形状をしている。右板部５３は、上下方向Ｚで互いに対向する上辺５３ａ及び下辺５３ｂを持つ。図４に示されるように、下辺５３ｂの方が上辺５３ａよりも長い。同様に、左板部５２は、上下方向Ｚで互いに対向する上辺５２ａ及び下辺（図示せず）を持つ。
【００４９】
前板部５１は、中央よりも左辺５１ｃおよび右辺５１ｄ側で、メイン基板（図示せず）の所定の位置に形成されている取り付け穴（図示せず）に差し込むために、その下辺５１ｂから下方へ突出している複数の取り付け足５１１を有する。同様に、左板部５２は、メイン基板の所定の位置に形成されている取り付け穴に差し込むために、その下辺から下方へ突出している複数の取り付け足５２１を有し、右板部５３は、メイン基板の所定の位置に形成されている取り付け穴に差し込むために、その下辺３３ｂから下方へ突出している複数の取り付け足５３１を有する。
【００５０】
なお、図４には図示されていないが、前板部５１は、フロントケース１１の上記第１乃至第４のフロントネジボス部１５１〜１５４の対応する位置で、第１乃至第４の取付けネジ７０１〜７０４をそれぞれ貫通させるための第１乃至第４の貫通孔を持つ。また、前板部７１は、フロントケース１１の上記第１及び第２の位置決め突起１５６、１５７がそれぞれ挿入される第１及び第２の位置決め用バーリング穴５１６、５１７を持つ。
【００５１】
このような構造のチューナ装置３００では、チューナモジュール１００の第１及び第２の位置決め突起１５６、１５７をそれぞれブラケット５０の第１及び第２の位置決め用バーリング穴５１６、５１７に挿入することによりブラケット５０を位置決めした状態で、第１乃至第４の取付けネジ７０１〜７０４を使用してブラケット５０をチューナモジュール１００に取り付け固定（締結）することによって、チューナ装置３００が製造される。このとき、ブラケット５０の下辺５１ｂ、５２ｂ、５３ｂからは複数の取り付け足５１１、５２１、５３１が突出しているので、これら取り付け足５１１、５２１、５３１をメイン基板の取り付け穴に差し込むことにより、メイン基板に対してチューナ装置３００を容易に取り付けることができる。なおこのとき、プリント配線基板２０の下辺２０ｂから下方へ突出しているコネクタピン２５は、メイン基板に形成されている配線パターンに対して差し込まれる。
【００５２】
そして、これらの取り付け足５１１、５２１、５３１及びコネクタピン２５をメイン基板で半田付けすることにより、チューナ装置３００は、メイン基板の主面上に縦型に固定して設置される。なお、この半田付けは、半田ディップ槽に取り付け足５１１、５２１、５３１及びコネクタピン２５を浸漬することによって行われる。
【００５３】
とにかく、半田付けできないアルミニウム製の金属ケース１０で覆われたチューナモジュール１００に、半田付けできる材料で作られたブラケット５０を取り付けることによって、チューナ装置３００を容易にメイン基板の主面上に縦型に設置することが可能となる。このように、チューナ装置３００をメイン基板の主面上に縦型に設置することにより、ユーザセット内部にスペースが生まれることになる。その結果、ユーザセットに対するユーザの設計の自由度を向上させることができる。
【００５４】
図４に示されるように、右板部５３は、下辺３３ｂの奥端で上下方向Ｚに上方へ延在する背辺５３ｃと、この背辺５３ｃの上端と上辺５３ａの奥端とを斜めに結ぶ斜辺３３ｄとを持つ。この右板部５３は、プリント配線基板２０のＲＦ入力部２０９の近傍で、その斜辺３３ｄから左右方向Ｙに右方へ突出したケーブル保持部５４を有する。このケーブル保持部５４は、後述するインシュロックタイ等の保持部材を係合するための一対の係合溝５４ａを持ち、後述するように、同軸ケーブルの先端部を保持するためのものである。
【００５５】
図５に、ケーブル保持部５４でインシュロックタイ８０を使用して同軸ケーブル９１の先端部９１ａを保持している状態を示す。同軸ケーブル９１の先端は、前述したプリント配線基板２０のＲＦ入力部２０９で、半田付けにより電気的に接続される。同軸ケーブル９１の先端部９１ａは、ケーブル保持部５４の係合溝５４ａに係合されたインシュロックタイ８０を使用して、ケーブル保持部５４に保持・固定される。これにより、プリント配線基板２０のＲＦ入力部２０９と同軸ケーブル９１の先端との間の半田付け部にかかるストレス（振動、引っ張りに起因する）を軽減することが可能となる。
【００５６】
図６及び図７を参照して、本発明の第２の実施の形態に係るチューナ装置３００Ａについて説明する。図６はチューナ装置３００Ａの斜視図であり、図７はチューナ装置３００Ａの分解斜視図である。図示のチューナ装置３００Ａは、ブラケットのケーブル保持部が図４及び図５に示したものから変更されている点を除いて、図４及び図５に示したチューナ装置３００と同様の構成を有する。したがって、ブラケットおよびケーブル保持部に、それぞれ、５０Ａおよび５４Ａの参照符号を付している。図１乃至図５に示したものと同様の構成を有するものには同一の参照符号を付して、説明の簡略化のためにそれらの説明については省略する。
【００５７】
図７に示されるように、プリント配線基板２０は、参照符号６０１〜６０５で示す第１乃至第５の基板固定用ネジを使用して、フロントケース１１とリアケース１２との間で挟まれた状態で固定される。
【００５８】
ケーブル保持部５４Ａは、その先端部に同軸ケーブル９１を引っ掛けるためのフック部５４１を有している。
【００５９】
したがって、図６に図示されるように、同軸ケーブル９１をフック部５４１へ引っ掛けることによって、本チューナ装置３００Ａを出荷する時の梱包状態をコンパクト化することができる。また、前述したように、本チューナ装置３００Ａを半田付けによりメイン基板の主面上に取付・固定する際、チューナ装置３００Ａの取り付け足５１１、５２１、５３１及びコネクタピン２５を半田ディップ槽に浸漬する。本実施の形態では、同軸ケーブル９１がフック部５４１へ引っ掛けられているので、半田付けの際に、同軸ケーブル９１が半田ディップ槽に誤って落ちることを防ぐことができる。
【００６０】
以上、本発明について好ましい実施の形態によって説明してきたが、本発明は上述した実施の形態に限定しないのは勿論である。例えば、上記実施の形態では、金属ケース（シールドケース）１０は、アルミニウム製であるが、他の半田付けできない材料から成ればよい。ブラケットは、鋼又は亜鉛メッキ鋼板から成るが、他の半田付け可能な材料から成っていてよい。
【００６１】
また、上記実施の形態では、メイン基板の主面上に縦置きで設置されるチューナモジュールを含むチューナ装置について説明してきたが、本発明は、メイン基板の主面上に横置きで設置されるチューナモジュールを含むチューナ装置にも適用可能である。この場合、第１のケース１１がロアーケースとして、第２のケース１２がアッパーケースとして用いられる。Ｘ軸方向が上下方向（高さ方向）を、Ｙ軸方向が左右方向（横方向、幅方向）を、Ｚ軸方向が前後方向（奥行き方向、厚さ方向）をそれぞれ示す。そして、プリント配線基板に搭載される複数本のコネクタピンは、メイン基板の主面に対して垂直なＸ軸方向（上下方向）に沿って下方へ延在する。そして、ブラケットは、ロアーケース１１の底面（外面）から上下方向Ｘに下方へ所定距離離間して対向配置される板部材を有し、この板部材には、その前辺及び後辺から上下方向Ｘに沿って下方向へ延在する複数本の取付け足が設けられる。
【産業上の利用可能性】
【００６２】
本発明は、特に小型化が要求される車載用デジタルラジオ受信機におけるチューナ装置に適しているが、金属ケース（シールドケース）が半田付けできない材用から成り、チューナ装置をメイン基板の主面上に設置する型のラジオ受信機全般に適用できることは言うまでも無い。
【図面の簡単な説明】
【００６３】
【図１】本発明を車載用デジタルラジオ受信機におけるチューナ装置に適用した場合についてチューナモジュールの概略構成を示す斜視図である。
【図２】図１に示したチューナモジュールの概略構成を示す斜視図である。
【図３】図１に示したチューナモジュールを構成している回路部品を実装しているプリント配線基板を示す図で、（ａ）はプリント配線基板を背面側から見た背面図であり、（ｂ）はプリント配線基板を前面側から見た正面図である。
【図４】本発明の第１の実施の形態に係るチューナ装置の構成を示す斜視図である。
【図５】図４に示すチューナ装置において、ケーブル保持部でインシュロックタイを使用して同軸ケーブルの先端部を保持している状態を示す斜視図である。
【図６】本発明の第２の実施の形態に係るチューナ装置の構成を示す斜視図である。
【図７】図６に示したチューナ装置の分解斜視図である。
【図８】デジタルラジオ受信機の一例として衛星デジタルラジオ受信機の構成を示すブロック図である。
【符号の説明】
【００６４】
１０    金属ケース（シールドケース）
１１    フロントケース（第１のケース）
１１ｅ    前面
１５１〜１５４    フロントネジボス部
１５６，１５７    位置決め突起
１２    リアケース（第２のケース）
２０    プリント配線基板
２０ｂ    下辺
２０ｃ    左辺
２０ｄ    右辺
２１〜２３    ＩＣ部品
２５    コネクタピン
２０９    ＲＦ入力部
５０、５０Ａ    ブラケット
５１    前板部
５１ｂ    下辺
５１ｃ    右辺
５１ｄ    左辺
５１１，５２１，５３１    取り付け足
５１６，５１７    位置決め用バーリング穴
５２    左板部
５２ｂ    下辺
５３    右板部
５３ｂ    下辺
５４，５４Ａ    ケーブル保持部
５４ａ    係合溝
５４１    フック部
８０    インシュロックタイ（保持部材）
９１    同軸ケーブル
９１ａ    先端部
１００    チューナモジュール
３００、３００Ａ    チューナ装置
７０１〜７０４    取付けネジ
【図１】
2008078889.tif 000003
【図２】
2008078889.tif 000004
【図３】
2008078889.tif 000005
【図４】
2008078889.tif 000006
【図５】
2008078889.tif 000007
【図６】
2008078889.tif 000008
【図７】
2008078889.tif 000009
【図８】
2008078889.tif 000010